(57)【要約】【課題】固定パターンと非固定パターンとのコントラストを高めて、表示品位を向上させた表示装置を、製造容易に提供する。【解決手段】表示装置１００は、バックライトと、当該バックライトに照明されることにより表示画面３１に画像を表示する画像表示パネル３０と、を備える。画像表示パネル３０は、固定的パターンとしてタッチスイッチパターンＴＳＰを表示する固定的表示領域３３と、非固定的パターンとして地図パターンＭＰを表示する非固定的表示領域３４と、を有する。バックライトは、固定的表示領域３３に対して、非固定的表示領域３４よりも、照明の強度に大きな勾配が設けられるように画像表示パネル３０を照明する。【選択図】図１
2019152748.tif 000002
【特許請求の範囲】
【請求項１】
バックライト（４０，２４０，３４０）と、前記バックライトに照明されることにより表示画面（３１）に画像を表示する画像表示パネル（３０）と、を備える表示装置であって、
前記画像表示パネルは、
固定的パターン（ＴＳＰ）を表示する固定的表示領域（３３）と、
非固定的パターン（ＭＰ）を表示する非固定的表示領域（３４）と、を有し、
前記バックライトは、前記固定的表示領域に対して、前記非固定的表示領域よりも、照明の強度に大きな勾配が設けられるように前記画像表示パネルを照明する表示装置。
【請求項２】
前記バックライトは、
発光素子（４７，２４７）を用いて、前記固定的表示領域を照明する固定的表示照明部（４６，２４６）と、
発光素子（４９，２４９）を用いて、前記非固定的表示領域を照明する非固定的表示照明部（４８，２４８）と、を有し、
前記固定的表示照明部における前記発光素子の密度は、前記非固定的表示照明部における前記発光素子の密度よりも、疎となっている請求項１に記載の表示装置。
【請求項３】
前記固定的表示照明部及び前記非固定的表示照明部において前記発光素子は、前記画像表示パネルと対向するように配置され、前記画像表示パネルを照明する請求項２に記載の表示装置。
【請求項４】
前記バックライトは、前記画像表示パネルと対向して配置される導光板（２５０）を有し、
前記固定的表示照明部及び前記非固定的表示照明部において前記発光素子は、前記導光板のエッジ部（２５０ａ）から前記導光板の内部に光を導入させることで、前記導光板を介して前記画像表示パネルが照明される請求項２に記載の表示装置。
【請求項５】
前記バックライトは、
発光素子（３４７）を用いて、前記固定的表示領域を照明する固定的表示照明部（３４６）と、
発光素子（３４９）を用いて、前記非固定的表示領域を照明する非固定的表示照明部（３４８）と、
前記非固定的表示照明部は、前記非固定的表示領域と対向して配置される導光板（３５０）を有し、
前記非固定的表示照明部において前記発光素子は、前記導光板のエッジ部から前記導光板の内部に光を導入させることで、前記導光板を介して前記画像表示パネルが照明され、
前記固定的表示照明部において前記発光素子は、前記画像表示パネルと対向するように配置され、前記固定的表示照明部を照明する請求項１に記載の表示装置。
【請求項６】
前記固定的表示照明部において前記発光素子は、複数設けられ、
前記固定的表示照明部における複数の前記発光素子に対するローカルディミング制御を用いて、前記勾配を発生させるローカルディミング制御部（２２２）を、さらに備える請求項２から５のいずれか１項に記載の表示装置。
【請求項７】
前記固定的表示照明部は、前記固定的パターンの中央部に対応して照明強度が極大値をとる極大位置（ＭＸ）を有し、前記固定的パターンの前記中央部から周辺部へ向かうに従って、前記勾配に基づいて照明の強度が低下するように前記固定的パターンを照明する請求項２から６のいずれか１項に記載の表示装置。
【発明の詳細な説明】
【技術分野】
【０００１】
この明細書による開示は、表示装置に関する。
【背景技術】
【０００２】
従来、表示装置が知られている。特許文献１に開示の表示装置は、バックライト、及び当該バックライトに照明されることにより表示画面に画像を表示する画像表示パネルを備えている。画像表示パネルには、地図情報、車載カメラ映像等の非固定的パターンを表示することが可能となっている。さらに表示装置は、画像表示パネルとは別に、インジケータ等の固定的パターンを表示するための表示板を備えている。
【先行技術文献】
【特許文献】
【０００３】
【特許文献１】特開２０１７−１５６６２３号公報
【発明の概要】
【発明が解決しようとする課題】
【０００４】
しかしながら、特許文献１に開示の装置は、固定パターンと非固定パターンとを別々の部材で表示するようにしたため、構造が複雑化し、また部品点数が増加するため、製造し難いものとなっている。このため、画像表示パネルに固定パターンと非固定パターンとの両方を表示することが考えられるが、こうした形態においても、固定パターンと非固定パターンとの区別が付き難くなるため、表示品位が十分高いものではなかった。
【０００５】
開示されるひとつの目的は、固定パターンと非固定パターンとのコントラストを高めて、表示品位を向上させた表示装置を、製造容易に提供することにある。
【課題を解決するための手段】
【０００６】
ここに開示された態様は、バックライト（４０，２４０，３４０）と、バックライトに照明されることにより表示画面（３１）に画像を表示する画像表示パネル（３０）と、を備える表示装置であって、
画像表示パネルは、
固定的パターン（ＴＳＰ）を表示する固定的表示領域（３３）と、
非固定的パターン（ＭＰ）を表示する非固定的表示領域（３４）と、を有し、
バックライトは、固定的表示領域に対して、非固定的表示領域よりも、照明の強度に大きな勾配が設けられるように画像表示パネルを照明する。
【０００７】
このような表示装置によると、バックライトにより、画像表示パネルの固定的表示領域に対して照明の強度に大きな勾配が設けられるように照明が行なわれる。これによれば、非固定的表示領域における非固定的パターンには、照明の強度の勾配が比較的小さな照明が行なわれるので、照明むらが少なく、一般的な画像表示が実施されるのに対し、固定的表示領域における固定的パターンには、上記勾配によって、非固定パターンに対するコントラストが高い画像表示が実現される。このような高いコントラストを、画像表示パネルに固定パターンと非固定パターンとの両方を表示した簡素な形態において実現することにより、表示品位を向上することができる。
【０００８】
加えて、ここに開示された態様は、バックライトは、
発光素子（４７，２４７）を用いて、固定的表示領域を照明する固定的表示照明部（４６，２４６）と、
発光素子（４９，２４９）を用いて、非固定的表示領域を照明する非固定的表示照明部（４８，２４８）と、を有し、
固定的表示照明部における発光素子の密度は、非固定的表示照明部における発光素子の密度よりも、疎となっている。
【０００９】
このような表示装置によると、固定的表示照明部における発光素子の密度を疎とすることにより、固定的表示領域に対する照明の強度の勾配を高めることを、発光素子の配置個数を抑制することにより実現できるので、製造コストを低減しつつ、固定パターンと非固定パターンとのコントラストを高めることができる。
【００１０】
なお、括弧内の符号は、後述する実施形態の部分との対応関係を例示的に示すものであって、技術的範囲を限定することを意図するものではない。
【図面の簡単な説明】
【００１１】
【図１】第１実施形態の表示装置の正面図と、照明の強度（バックライト輝度）の分布との対応関係を示す図である。
【図２】第１実施形態の表示装置の分解図である。
【図３】第１実施形態のバックライトの分解図である。
【図４】第１実施形態のバックライトにおける発光素子の配置を示す正面図である。
【図５】図１のV−V線断面図である。
【図６】第２実施形態における図４に対応する図である。
【図７】図６のVII−VII線断面図である。
【図８】第３実施形態における図４に対応する図である。
【図９】図８のIX−IX線断面図である。
【図１０】変形例３における図４に対応する図である。
【発明を実施するための形態】
【００１２】
以下、複数の実施形態を図面に基づいて説明する。なお、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１３】
（第１実施形態）
本開示の第１実施形態による表示装置１００は、例えば図１に示され、車両に用いられ、視認者が着座する座席（運転席及び助手席）とは対向するインストルメントパネルに設置されている。表示装置１００は、車両のインストルメントパネルにおいて、車両の左右方向に並ぶ運転席及び助手席の間に対応しているセンタ部に設置されているセンターディスプレイとなっている。表示装置１００は、運転席に着座する乗員及び助手席に着座する乗員が位置する視認側へ向けて、表示画面３１に画像を表示することが可能となっている。また、表示装置１００は、操作者としての乗員によりタッチ操作することが可能な、操作装置としても機能している。
【００１４】
以下において、特に断り書きが無い限り、前方、後方、上方、下方、左方、右方等の表記は、水平面上の車両を基準として記載される。
【００１５】
このような表示装置１００について、図２〜５も用いて、以下に詳細に説明する。表示装置１００は、ケース部１０、制御部２０、画像表示パネル３０、及びバックライト４０等により構成されている。
【００１６】
ケース部１０は、バックライト４０及び画像表示パネル３０を収容する。ケース部１０は、リアフレーム１１、トップフレーム１２、及びフロントベゼル１３を有している。リアフレーム１１は、バックライト４０を表示画面３１とは反対側から覆うように形成されている。トップフレーム１２は、バックライト４０を表示画面３１側から覆うと共に、バックライト４０からの照明光を画像表示パネル３０側に透過させるための開口部１２ａを有して形成されている。フロントベゼル１３は、画像表示パネル３０をトップフレーム１２との間に挟み込むように配置されている。フロントベゼル１３は、画像表示パネル３０を表示画面３１側から覆うと共に、画像表示パネル３０の表示画面３１を視認側に露出させるための開口部１３ａを有して形成されている。
【００１７】
制御部２０は、リアフレーム１１において表示画面３１とは反対側に露出する背面板１１ａ上に配置され、駆動回路基板２１上に駆動回路を実装することにより形成されている。制御部２０は、少なくとも１つのＣＰＵ（Central Processing Unit；中央処理装置）と、プログラム及びデータを記憶する記憶媒体としての少なくとも１つのメモリを有している。制御部２０は、コンピュータによって読み取り可能な記憶媒体を備えるマイクロコンピュータによって提供される。記憶媒体は、コンピュータによって読み取り可能なプログラムを非一時的に格納する非遷移的実体的記憶媒体である。記憶媒体は、半導体メモリ等によって提供され得る。制御部２０は、１つのコンピュータ、又はデータ通信装置によってリンクされた１組のコンピュータ資源によって提供され得る。プログラムは、制御部２０によって実行されることによって、制御部２０をこの明細書に記載される装置として機能させ、この明細書に記載される方法を実行するように制御部２０を機能させる。
【００１８】
制御部２０は、通信可能となっている外部機器からの入力信号等に基づいて、バックライト４０を制御すると共に、画像表示パネル３０の表示画面３１に表示される画像の表示内容を制御する。
【００１９】
画像表示パネル３０は、画像を表示する平板状の表示素子である。本実施形態では、画像表示パネル３０として、薄膜トランジスタ（Thin Film Transistor、ＴＦＴ）を用いたＴＦＴ液晶パネルであって、２次元方向に配列された複数の画素により表示画面３１を形成するアクティブマトリクス式の透過型液晶パネルが採用されている。
【００２０】
画像表示パネル３０には、一対の偏光板及び当該一対の偏光板に挟まれた液晶層等が積層されている。一対の偏光板はその偏光軸を互いに実質直交するように配置されている。液晶層では、画素毎の電圧印加により、印加電圧に応じて液晶層を透過する光の偏光方向を回転させることが可能となっている。こうして、表示画素毎に、表示画面側の偏光板を透過する光の透過率を制御することが可能となっている。
【００２１】
したがって、画像表示パネル３０は、バックライト４０側の表面である照明対象面３２を当該バックライト４０により照明され、画素毎の透過率が制御されることで表示画面３１に画像を表示することが可能となっている。隣り合う画素には、互いに異なる色のカラーフィルタ（例えば赤、緑及び青）が設けられており、これらの組み合わせにより、様々な色が表現されるようになっている。
【００２２】
本実施形態の画像表示パネル３０において、表示画面３１には、固定的表示領域３３及び非固定的表示領域３４が設けられている。具体的に本実施形態では、画像表示パネル３０下方にてフロントベゼル１３の３辺に囲まれた矩形状の左右に長い領域が固定的表示領域３３に設定され、それ以外の上方の領域が非固定的表示領域３４に設定されている。固定的表示領域３３は、表示画面全体の２０〜２５％程度の面積を占有し、非固定的表示領域３４は、表示画面全体の７５〜８０％程度の面積を占有している。
【００２３】
非固定的表示領域３４では、非固定的パターンが表示される。非固定的パターンは、状況に応じて表示内容が変更されるものである。非固定的表示領域３４では、地図を表した地図パターンＭＰ、道路標識等を表したナビゲーションパターン、テレビ放送や映画等の動画パターン等を、状況に応じて適宜切り替えて表示することが可能である。
【００２４】
固定的表示領域３３では、固定的パターンが表示される。固定的パターンは、同じ領域に、同じ機能性又は目的を有するパターンを定常的に表示するものである。固定的パターンとしては、例えばタッチ操作の対象となるタッチスイッチを表したタッチスイッチパターンＴＳＰ、車両の状態等を示すインジケータを表したインジケータパターン等が挙げられる。
【００２５】
特に本実施形態では、固定的パターンとして車両の空調制御を設定するためのタッチスイッチパターンＴＳＰが採用されている。タッチスイッチパターンＴＳＰは、左右に並ぶように複数（例えば５つ）設けられている。各タッチスイッチパターンＴＳＰは、背景を暗色（例えば黒色）に設定されていると共に、各パターン中央部ＰＣにて、明色（例えば白色）に設定された図柄及び／又は文字等のマークＭＫを配置している。
【００２６】
なお、固定的パターンは、完全に同じ静止画の画像が表示され続けるものに限られない。例えば、タッチ操作等のトリガに対応して色が変化するようになっていてもよいし、マークＭＫがアニメーション化されていてもよい。
【００２７】
バックライト４０は、いわゆる直下型のバックライトであり、バックライト回路基板４１、複数の発光素子４７，４９、枠部材４２、拡散プレート４３、輝度上昇フィルム４４、及び反射型偏光フィルム４５等により構成されている。
【００２８】
バックライト回路基板４１は、リアフレーム１１の背面板１１ａに対して保持されることで、画像表示パネル３０と同程度の大きさの平板状に形成されている。バックライト回路基板４１は、各発光素子４７，４９を実装及び保持している。
【００２９】
各発光素子４７，４９は、例えば発光ダイオード素子等の白色光を発光可能な点状光源となっている。各発光素子４７，４９は、バックライト回路基板４１上の配線パターンを通じて、電源と電気的に接続されている。各発光素子４７，４９は、拡散プレート４３、輝度上昇フィルム４４、及び反射型偏光フィルム４５を挟んで、画像表示パネル３０と対向するように配置され、画像表示パネル３０の照明対象面３２へ向け、電流量に応じた強度にて白色光を発する。
【００３０】
枠部材４２は、各発光素子４７，４９を例えば１つずつ個別の区画室ＤＲに区画するように、遮光性の壁枠状に形成されている。これにより、一発光素子４７，４９と、当該一発光素子４７，４９が照明する画像表示パネル３０の一部分とが、互いに対応付けられる。
【００３１】
拡散プレート４３、輝度上昇フィルム４４、及び反射型偏光フィルム４５は、各発光素子４７，４９から画像表示パネル３０に入射しようとする光の状態を調整する調整要素である。
【００３２】
拡散プレート４３は、各区画室ＤＲを塞ぐように、枠部材４２よりも画像表示パネル３０側に配置された透光性の平板状に形成されている。拡散プレート４３は、表面に微小な凹凸が設けられていること又は内部に微小な拡散粒子を含んでいること等により、発光素子４７，４９からの光を拡散するようになっている。
【００３３】
輝度上昇フィルム４４は、微小な三角形状のプリズムパターンを配列した配列構造を有する平板状に形成されている。拡散プレート４３は、当該拡散プレート４３にて拡散された光の進行方向を、画像表示パネル３０に対して垂直な方向に近づける。これにより、各発光素子４７，４９からの光は、画像表示パネル３０を効率的に透過するようになり、画像の輝度を上昇させることができる。
【００３４】
反射型偏光フィルム４５は、例えば偏光軸を画像表示パネル３０のバックライト４０側の偏光板の偏光軸に沿わせて配置させた平板状に形成されている。反射型偏光フィルム４５は、反射により、画像表示パネル３０にて利用不可能な偏光方向の光を輝度上昇フィルム４４側へ戻すことで、当該光がバックライト４０内で再利用可能な偏光の状態に変換されることを促進する。一方、反射型偏光フィルム４５を透過した光により、画像表示パネル３０が照明されることとなる。
【００３５】
ここで、バックライト４０は、図４，５に示すように、互いに異なる照明態様をなす２つの照明部４６，４８を有している。具体的に、バックライト４０は、固定的表示領域３３を照明する固定的表示照明部４６及び非固定的表示領域３４を照明する非固定的表示照明部４８を有している。
【００３６】
非固定的表示照明部４８は、複数の発光素子４９を、液晶画素の配列方向に沿った２次元方向に並べることにより、非固定的表示領域３４を照明する。特に本実施形態では、発光素子４９は、画像表示パネル３０の短手方向に８個並べられ、長手方向に１５個並べられることにより、全体としては１２０個配列されている（図４では発光素子４９の一部にのみ符号を付す）。
【００３７】
固定的表示照明部４６は、複数の発光素子４７を、タッチスイッチパターンＴＳＰが並ぶ左右方向に沿って並べることにより、固定的表示領域３３を照明する。特に本実施形態では、発光素子４７は、タッチスイッチパターンＴＳＰと同数である５個配列されていることで、１つの発光素子４７と１つのタッチスイッチパターンＴＳＰとが対をなして個別に対応している。
【００３８】
なお、固定的表示照明部４６における発光素子４７には、非固定的表示領域３４における発光素子４９よりも少しサイズの大きな素子が採用されているが、全く同じサイズの素子が採用されてもよい。
【００３９】
このような発光素子４７，４９の配置の結果、非固定的表示照明部４８における発光素子４９の密度は、固定的表示照明部４６における発光素子４７の密度よりも密となっている。したがって、バックライト４０は、非固定的表示領域３４に対して、固定的表示領域３３よりも、照明の強度の均一性が高い照明（すなわち照明むらの少ない照明）を行なうことができる。故に、状況に応じて表示の内容が変化する非固定的表示領域３４に表示される様々な非固定的パターンに対しても、視認者に対して輝度むらを感じさせ難くすることができる。
【００４０】
一方で、固定的表示照明部４６における発光素子４７の密度は、非固定的表示照明部４８における発光素子４９の密度よりも疎となっている。したがって、バックライト４０は、固定的表示領域３３に対して、非固定的表示領域３４よりも、照明の強度に大きな勾配が設けられるように画像表示パネル３０を照明する。ここでいう勾配とは、画像表示パネル３０の沿設方向に沿った位置の変化に伴う照明の強度の変化率を意味する。
【００４１】
特に本実施形態の固定的表示照明部４６では、各タッチスイッチパターンＴＳＰのパターン中央部ＰＣに合わせて各発光素子４７が配置されている一方、パターン周辺部ＰＰに対応する位置には発光素子４７が配置されていない。したがって、固定的表示照明部４６は、パターン中央部ＰＣに対応して照明強度が極大値をとる極大位置ＭＸを有し、パターン中央部ＰＣからパターン周辺部ＰＰへ向かうに従って、上述の勾配に基づいて照明の強度が低下するように、各タッチスイッチパターンＴＳＰを照明する。
【００４２】
照明の強度の勾配を発生させたことで、各タッチスイッチパターンＴＳＰのマークＭＫは輝度を保って照明されつつも、パターン周辺部ＰＰの暗色の背景は、より暗度を高めて表示される。故に、固定的表示照明部４６の発光素子４７の密度を疎にして、発光素子４７の部品点数を削減したにも拘らず、タッチスイッチパターンＴＳＰのマークＭＫと背景との間のコントラストを高めることができる。そして、マークＭＫ内においても輝度に勾配が生じるため、機械式のタッチスイッチに近い雰囲気を演出することができる。
【００４３】
また、照明の強度は、パターン中央部ＰＣから固定的表示領域３３と非固定的表示領域３４との境界へ向かうに従って、低下しているとも言える。すなわち、固定的表示領域３３のうち境界に接する部分の輝度を小さくすることができるので、固定的表示領域３３と非固定的表示領域３４との境界が際立って、固定的表示領域３３と非固定的表示領域３４との間のコントラストを高めることができる。
【００４４】
さらに本実施形態の制御部２０は、プログラムを実行することにより発現される機能ブロックとして、ローカルディミング制御部２２を有している。ローカルディミング制御部２２は、非固定的表示照明部４８の複数の発光素子４９及び固定的表示照明部４６の複数の発光素子４７を、ローカルディミング制御（部分駆動制御ともいう）する。すなわち、表示画面３１を区画室ＤＲに対応した小領域に仮想的に分割し、当該小領域に表示する画像の輝度に合わせて、各発光素子４７，４９の発光強度を調整する。
【００４５】
非固定的表示領域３４では、状況に応じて内容が変化する非固定的パターンにおいて、比較的明度の高い画像を表示したい小領域について、対応する発光素子４９の発光強度が高く制御され、比較的明度の低い画像を表示したい小領域について、対応する発光素子４９の発光強度が前者よりも低く制御される。
【００４６】
固定的表示領域３３では、各タッチスイッチパターンＴＳＰにおいて、タッチスイッチがオン状態のパターンＴＳＰについて、当該パターンＴＳＰに対応する発光素子４７の発光強度が高く制御され、タッチスイッチがオフ状態のパターンＴＳＰについて、当該パターンＴＳＰに対応する発光素子４７の発光強度が前者よりも低く制御される。このようにすると、バックライト４０の制御によって、タッチスイッチがオン状態であるかオフ状態であるかを、高い表示品位にて表現することができる。
【００４７】
（作用効果）
以上説明した第１実施形態の作用効果を以下に改めて説明する。
【００４８】
第１実施形態によると、バックライト４０により、画像表示パネル３０の固定的表示領域３３に対して照明の強度に大きな勾配が設けられるように照明が行なわれる。これによれば、非固定的表示領域３４における非固定的パターンには、照明の強度の勾配が比較的小さな照明が行なわれるので、照明むらが少なく、一般的な画像表示が実施されるのに対し、固定的表示領域３３における固定的パターンには、上記勾配によって、非固定パターンに対するコントラストが高い画像表示が実現される。このような高いコントラストを、画像表示パネル３０に固定パターンと非固定パターンとの両方を表示した簡素な形態において実現することにより、表示品位を向上することができる。
【００４９】
また、第１実施形態によると、固定的表示照明部４６における発光素子４７の密度を疎とすることにより、固定的表示領域３３に対する照明の強度の勾配を高めることを、発光素子４７の配置個数を抑制することにより実現できるので、製造コストを低減しつつ、固定パターンと非固定パターンとのコントラストを高めることができる。
【００５０】
また、第１実施形態によると、固定的表示照明部４６及び非固定的表示照明部４８において複数の発光素子４７，４９は、画像表示パネル３０と対向するように配置され、当該画像表示パネル３０を照明する。このようにすると、画像表示パネル３０の各領域３３，３４に対して、照明の強度を容易に調節できるので、照明の強度の勾配を確実に制御することができる。
【００５１】
また、第１実施形態によると、固定的表示照明部４６は、パターン中央部ＰＣに対応して照明強度が極大値をとる極大位置ＭＸを有し、パターン中央部ＰＣからパターン周辺部ＰＰへ向かうに従って、照明の強度が低下するように固定的パターンを照明する。すなわち、パターン中央部ＰＣでは輝度を高くして固定的パターンの視認性を確保し、パターン周辺部ＰＰの輝度が低くすることで、非固定的パターンとのコントラストを高めることができるので、表示品位をより向上させることができる。
【００５２】
（第２実施形態）
図６，７に示すように、第２実施形態は第１実施形態の変形例である。第２実施形態について、第１実施形態とは異なる点を中心に説明する。
【００５３】
第２実施形態のバックライト２４０は、いわゆるエッジ型のバックライトであり、バックライト回路基板２４１、複数の発光素子２４７，２４９、導光板２５０、拡散プレート４３、輝度上昇フィルム４４、及び反射型偏光フィルム４５等により構成されている。
【００５４】
第２実施形態のバックライト回路基板２４１は、第１実施形態とは異なり、リアフレーム１１の側面板１１ｂに対して保持されている。バックライト回路基板２４１は、画像表示パネル３０の短手方向に沿って延伸する細長い形状となっている。
【００５５】
第２実施形態の各発光素子２４７，２４９は、バックライト回路基板２４１に保持され、互いに１列に並べられている。非固定的表示照明部２４８における各発光素子２４９は、互いに隙間少なく、かつ実質的に同じ間隔で配列されている。本実施形態では、発光素子２４９は、画像表示パネル３０の短手方向に１６個並べられている。
【００５６】
固定的表示照明部２４６における各発光素子２４７は、タッチスイッチパターンＴＳＰのパターン中央部ＰＣに対応する位置に隙間少なく３つ並べられている一方、パターン周辺部ＰＰに対応する位置には配置されていない。
【００５７】
このような発光素子２４７，２４９の配置の結果、非固定的表示照明部２４８における発光素子２４９の密度は、固定的表示照明部２４６における発光素子２４７の密度よりも密となっている。換言すると、固定的表示照明部２４６における発光素子２４７の密度は、非固定的表示照明部２４８における発光素子２４９の密度よりも疎となっている。
【００５８】
導光板２５０は、非固定的表示照明部２４８及び固定的表示照明部２４６に共通かつ一体的に形成されている。導光板２５０は、透光性の平板状に形成され、その左側のエッジ部２５０ａを、各発光素子２４７，２４９と対向させている。また、導光板２５０は、その板面２５０ｂを、画像表示パネル３０の非固定的表示領域３４及び固定的表示領域３３と、拡散プレート４３、輝度上昇フィルム４４、及び反射型偏光フィルム４５を挟んで対向して配置されている。導光板２５０は、各発光素子２４７，２４９からの光を、板内部に導入した後、画像表示パネル３０側へと射出する。拡散プレート４３、輝度上昇フィルム４４、及び反射型偏光フィルム４５は、第１実施形態と同様の形態である。
【００５９】
第２実施形態の固定的表示照明部２４６においても、各タッチスイッチパターンＴＳＰのパターン中央部ＰＣに合わせて各発光素子２４７が配置されている一方、パターン周辺部ＰＰに対応する位置には発光素子２４７が配置されていない。したがって、固定的表示照明部２４６は、パターン中央部ＰＣに対応して照明強度が極大値をとる極大位置ＭＸを有し、パターン中央部ＰＣから発光素子２４７の配列方向ＡＤに沿ってパターン周辺部ＰＰへ向かうに従って照明の強度が低下するように、各タッチスイッチパターンＴＳＰを照明する。
【００６０】
第２実施形態のローカルディミング制御部２２２は、固定的表示照明部２４６において３つ並んだ発光素子２４７のうち、中央の発光素子２４７ａの発光強度を最も高く制御し、この発光素子２４７ａに隣接する発光素子２４７ｂの発光強度を、発光素子２４７ａの発光強度よりも小さく制御する。このようにすると、パターン中央部ＰＣからパターン周辺部ＰＰに向かう照明の強度の勾配を、滑らかに変化させることができ、タッチスイッチパターンＴＳＰの照明において、より理想的な輝度分布が実現される。
【００６１】
以上説明した第２実施形態によると、固定的表示照明部２４６及び非固定的表示照明部２４８において複数の発光素子２４７，２４９は、導光板２５０のエッジ部２５０ａから導光板２５０の内部に光を導入させることで、導光板２５０を介して画像表示パネル３０が照明される。こうした導光板２５０を用いた照明により、発光素子２４７，２４９の配置個数をさらに抑制することが可能となるので、製造コストを低減しつつ、固定パターンと非固定パターンとのコントラストを高めることができる。
【００６２】
また、第２実施形態によると、固定的表示照明部２４６における複数の発光素子２４７に対してローカルディミング制御が行なわれる。このようにすると、照明の強度の勾配をより滑らかにできるので、固定的パターンを違和感少なく表示することができる。
【００６３】
（第３実施形態）
図８，９に示すように、第３実施形態は第１実施形態の変形例である。第３実施形態について、第１実施形態とは異なる点を中心に説明する。
【００６４】
第３実施形態のバックライト３４０は、いわゆるエッジライト型のバックライトと直下型のバックライトとを組み合わせた構成となっている。
【００６５】
バックライト３４０の固定的表示照明部３４６は、第１実施形態と同様の直下型を呈している。一方、バックライト３４０の非固定的表示照明部３４８は、第２実施形態と同様のバックライト型を呈している。
【００６６】
ただし、非固定的表示照明部３４８において導光板３５０は、その板面３５０ｂを、画像表示パネル３０のうち非固定的表示領域３４と、拡散プレート４３、輝度上昇フィルム４４、及び反射型偏光フィルム４５を挟んで対向して配置されている。
【００６７】
さらに、非固定的表示照明部３４８における複数の発光素子３４９は、導光板３５０の上側のエッジ部３５０ａと対向するように配置されている。各発光素子３４９は、互いに画像表示パネル３０の長手方向に沿って、例えばタッチスイッチパターンＴＳＰと同数の５個並べられている。
【００６８】
以上説明した第３実施形態によると、非固定的表示照明部３４８において複数の発光素子３４９は、導光板３５０のエッジ部３５０ａから導光板３５０の内部に光を導入させることで、導光板３５０を介して画像表示パネル３０が照明される。これにより、非固定的表示領域３４に対しては、発光素子３４９の配置個数を抑制しつつ、照明の均一性を高めることができる。一方、固定的表示照明部３４６において複数の発光素子３４７は、画像表示パネル３０と対向するように配置され、固定的表示照明部３４６を照明する。故に固定的表示領域３３に対しては、照明の強度の勾配分布を確実に制御することができる。
【００６９】
（他の実施形態）
以上、複数の実施形態について説明したが、本開示は、それらの実施形態に限定して解釈されるものではなく、本開示の要旨を逸脱しない範囲内において種々の実施形態及び組み合わせに適用することができる。
【００７０】
具体的に変形例１としては、表示装置１００は、操作装置として機能していなくてもよい。
【００７１】
変形例２としては、複数の発光素子４７，４９，２４７，２４９，３４７，３４９に対して、ローカルディミング制御が行なわれずに、複数の発光素子４７，４９，２４７，２４９，３４７，３４９を実質同じ強度で発光させるようにしてもよい。
【００７２】
第２実施形態に関する変形例３としては、図１０に示すように、導光板２５０は、固定的表示領域３３と非固定的表示領域３４との境界ＢＯに対応して、当該境界ＢＯに沿うように延伸する凹状溝２５１を有していてもよい。このようにすると、非固定的表示照明部２４８側の発光素子２４９の光が固定的表示照明部２４６側に多少漏れ難くなり、固定的表示領域３３への照明の強度を、理想的な分布に維持し易くなる。
【符号の説明】
【００７３】
１００  表示装置、３０  画像表示パネル、３１  表示画面、３３  固定的表示領域、３４  非固定的表示領域、４０，２４０，３４０  バックライト、ＴＳＰ  タッチスイッチパターン（固定的パターン）、ＭＰ  地図パターン（非固定的パターン）
【図１】
2019152748.tif 000003
【図２】
2019152748.tif 000004
【図３】
2019152748.tif 000005
【図４】
2019152748.tif 000006
【図５】
2019152748.tif 000007
【図６】
2019152748.tif 000008
【図７】
2019152748.tif 000009
【図８】
2019152748.tif 000010
【図９】
2019152748.tif 000011
【図１０】
2019152748.tif 000012